(57)【特許請求の範囲】
【請求項１】
容器内に液体芳香剤が含浸された芳香剤含浸体を収容した後、使用時には開封される非透気性の容器蓋により前記容器の開口を密封するように構成した芳香剤容器において、不織布シート又はフェルトシートを多数枚積層し、積層面を縦方向にしてほぼ容器形状に合うように２つ折り状に折り曲げて芳香剤含浸体を形成し、この芳香剤含浸体を容器内に収容した際に上面に露出する積層横断面を、これに接触するようにして透気性シートで覆うように構成したことを特徴とする芳香剤容器。
【請求項２】
容器の開口には、使用時に容器蓋が開封された状態で、液体芳香剤の芳香成分を外部に揮散させるための通気孔を有するキャップが装着されている請求項１記載の芳香剤容器。
【発明の詳細な説明】
【０００１】
【発明の属する技術分野】
本発明は、室内や車内などに置いて、容器内に収容された液体芳香剤の芳香成分を揮散することによって、室内や車内を芳香状態にする芳香剤容器に関するものである。
【０００２】
【従来の技術】
この種の芳香剤容器は、図８に示す従来例のように、金属缶や瓶等の容器１内に液体芳香剤が含浸された芳香剤含浸体２を収容した後、使用時には開封される非透気性の容器蓋４により容器１の開口を密封し、使用時に容器蓋４が開封された状態で、液体芳香剤の芳香成分を外部に揮散させるための通気孔５ａを有するキャップ５を容器１に装着して構成している。
【０００３】
この従来例では、図９（ａ）に示すように、フェルトや不織布などの吸液性素材２ａを矩形状に積層したものを、容器１の形状に合わせて打ち抜き加工を行って図９（ｂ）に示すように芳香剤含浸体２として形成し、この芳香剤含浸体２を、積層面を横方向にした状態で、図８に示すように容器１内に収容して液体芳香剤を含浸させて、容器蓋４による密封を行っている。このように構成された芳香剤容器は、使用時には容器蓋４を開封することによって、芳香剤含浸体２に含浸された液体芳香剤の芳香成分を容器１の開口からキャップ５の通気孔５ａを通じて外部に揮散している。
【０００４】
【発明が解決しようとする課題】
ところが上記従来例は、吸液性素材２ａの積層物から芳香剤含浸体２を形成するに当たって、打ち抜き加工の寸法制限があるため、芳香剤含浸体２の高さが制限され、容器１内に収容したとき容器蓋４やキャップ５との間に隙間Ｓ（図８）が空いて液体芳香剤の充填効率が悪くなるという問題や、芳香剤含浸体２の高さに合わせて製品化すると、芳香剤容器の高さも制限されて外観デザインが制約されてしまうという問題が生じる。尚、前記積層物を２組重ねて高くすることも考えられるが、それでは液体芳香剤の吸収が悪くなり、芳香成分の揮散量が少なくなり芳香状態が悪くなってしまうので実用的ではない。
【０００５】
また、吸液性素材２ａの積層面が横方向になっていると積層横断面２ｃ（図９（ｂ））が上面に露出せず、容器１の開口部より外観されないという利点はあるものの、液体芳香剤の芳香成分が上方に揮散しにくくその揮散力が弱くなると共に、液体芳香剤を吸い上げる毛細管機能も発揮しにくく液体芳香剤の含浸力も弱くなるので、全体の揮散量が少なくなるという問題が生じる。尚、揮散ガスの通気路を形成するため、芳香剤含浸体２の側面に凹部２ｂを設けているものの、揮散力のアップには直接効果はなく、かえって打ち抜き作業が面倒になり、汎用性が低くなるという問題が生じる。
【０００６】
さらに積層面が横方向になっていると、芳香剤含浸体２の上部と下部に含浸力の差が生じるため、含浸状態の安定性が悪く、容器１の下部に液が溜まってしまう問題もある。
【０００７】
そこで本発明は、液体芳香剤を効率良く充填すると共にその揮散力や芳香剤含浸体への含浸力を充分に発揮し、揮散量を調整することによって芳香成分を適正に揮散でき、室内や車内を良好な芳香状態に保つことができる芳香剤容器を提供することを目的とする。
【０００８】
【課題を解決するための手段】
本発明の芳香剤容器は上記目的を達成するため、容器内に液体芳香剤が含浸された芳香剤含浸体を収容した後、使用時には開封される非透気性の容器蓋により前記容器の開口を密封するように構成した芳香剤容器において、不織布シート又はフェルトシートを多数枚積層し、積層面を縦方向にしてほぼ容器形状に合うように２つ折り状に折り曲げて芳香剤含浸体を形成し、この芳香剤含浸体を容器内に収容した際に上面に露出する積層横断面を、これに接触するようにして透気性シートで覆うように構成したことを特徴とするものである。
【０００９】
本発明の芳香剤容器によれば、積層された不織布シート又はフェルトシートの積層面を縦方向にして２つ折り状に折り曲げて形成された芳香剤含浸体は、前記不織布シート又はフェルトシートの幅イコール縦寸法となるので打ち抜き加工のように寸法制限がないので、その高さを容器の高さに合わせることができ、それが容器内に収容されたときに液体芳香剤を効率よく充填することができる。また、不織布シート又はフェルトシートの積層面が縦方向になっていることにより、液体芳香剤の芳香成分を上方に揮散させやすく揮散力を充分に発揮することができると共に、液体芳香剤を吸い上げる毛細管機能も発揮し易く液体芳香剤の含浸力もアップすることができるので、全体の揮散量を調整することによって芳香成分を適正に揮散することができる。
【００１０】
さらに、前記毛細管機能を縦方向に効率良く発揮することができるので、打ち抜き加工の従来例のように揮散ガスの通気路が形成されるように芳香剤含浸体を形成する必要がないので、形成作業が非常に簡単になると共に、上部と下部に含浸力の差も生じないので、含浸状態の安定性が良く、下部に液溜まりが生じない。
【００１１】
また、芳香剤含浸体の積層横断面はこれに接触するようにして透気性シートで覆われているので、容器開口部が見苦しくならず外観が良くなると共に、透気性シートによって使い始めの揮散量を抑制することもできる。そしてこの透気性シートを薄い不織布で形成し、例えば黒であれば、液体芳香剤中に含まれる不揮発成分の残留により芳香剤含浸体が色焼けするのをカバーできると共に、香料を作る際も色を考慮しなくて良いので選択の幅が拡がるし、白であれば、蛍光物を暗所で有色発光させるブラックライトに反応するように蛍光増白剤を含浸させることによって、アピール度が高まり商品性を向上させることもできる。
【００１２】
上記構成において、容器の開口に、使用時に容器蓋が開封された状態で、液体芳香剤の芳香成分を外部に揮散させるための通気孔を有するキャップを装着すれば、通気孔の形状により揮散量を調整できると共に、揮散面に直接触れるおそれもなく、外観デザインが良好になり、好適である。
【００１３】
【発明の実施の形態】
以下、本発明の一実施形態について図１〜図７を参照して具体的に説明する。尚、従来例と同様の部分については同符号を付して説明する。
【００１４】
本実施形態の芳香剤容器は、図１の全体斜視図、図２の分解斜視図に示すように、容器１内に芳香剤含浸体２を収容して液体芳香剤を含浸させた後、使用時には開封される非透気性の容器蓋４により容器１の開口を密封し、使用時に容器蓋４が開封された図７に示す使用状態で、芳香剤含浸体２に含浸された液体芳香剤（図示せず）の芳香成分を外部に揮散させるための通気孔５ａを有するキャップ５を容器１に装着して構成している。
【００１５】
容器１は有底円筒形状のアルミ等の金属缶であり、容器蓋４はプルタブ４ａを引き起こして密封蓋部４ｂを巻き締め部４ｃから切り離すことによって開缶するプルトップ蓋をなし、容器１と容器蓋４とでいわゆるイージーオープン缶をなしている。尚、このようなプルトップ蓋でなく、アルミシートを容器１の開口周縁に接着するシール蓋にしても良く、要は非透気性で容器１の開口を密封できるものなら良い。
【００１６】
またキャップ５は合成樹脂製で、後述する製造工程にて巻き締めされた容器１の開口周縁に、側周部５ｂをその弾性を利用して無理嵌め状態で装着しており、通気孔５ａとして上面にスリット孔を見栄えの良いデザインとなるように設けている。図示する形状はその１例である。
【００１７】
芳香剤含浸体２は、図３の仮想線で示すようにフェルト又は不織布からなるシート状の吸液性素材２ａを矩形状に積層してから、図３に矢印で示すように矩形面の中央部を２ｄを折り目にして折り曲げ、復元したときにほぼ容器１の形状に沿うように前記中央部２ｄの折り目および積層面を縦方向にして折り曲げて形成される。不織布は繊維を接着剤や熱で結合させた繊維であり、綿、レーヨン、各種合繊などを原料とする。この不織布は繊維の方向が自由に配列されているのでどの方向に対しても強度があり、弾力に富み、２つに折り曲げても１８０度復元するので、折り曲げ後は容器１の形状に合わせて横方向に拡がって復元する。またフェルトは羊毛やスケールの多い獣毛を揉み固めて布状としたもので、不織布とほぼ同様の機能を有する。
【００１８】
本実施形態の芳香剤容器は、芳香剤含浸体２を容器１内に収容した際に上面に露出する積層横断面２ｃを、これに接触するようにして不織布からなる透気性シート３で覆った後、容器蓋４により容器１の開口を密封している。
【００１９】
上記のように構成される芳香剤容器の製造工程をその図４〜図６に示す断面図を用いて以下、説明する。
【００２０】
まず、容器１内に液体芳香剤（図示せず）をそのほぼ半分の高さまで入れた後、図３で示したように中央部２ｄで折り曲げた状態で、図４に示すように、開口にフランジ部１ａを形成した容器１の高さよりやや低い高さ位置まで収容し、その開口上面に位置する積層横断面２ｃに透気性シート３を載せる。
【００２１】
その後、図５に示すように、プルトップ蓋をなす容器蓋４を載せる。容器蓋４は、開封時には切り離される密封蓋部４ｂとその周縁の巻き締め部４ｃとからなり、密封蓋部４ｂには開封時に指掛け部となるプルタブ４ａが取付けられている。そして容器蓋４の巻き締め部４ｃと容器１のフランジ部１ａを合わせて巻き締め加工することにより、容器蓋４が容器１に一体化される。
【００２２】
次に図６に示すように、容器蓋４の上に必要に応じて説明書や使用時に裏面に貼着するための両面テープ等（図示せず）を載せた後、巻き締めされた容器蓋４の開口周縁にキャップ５を無理嵌めして装着し、必要に応じて全体をシュリンクフィルム包装する等して本実施形態の芳香剤容器が製品化される。
【００２３】
こうして製品化された芳香剤容器を使用する際には、キャップ５をいったん取外した後、容器蓋４のプルタブ４ａに指をかけて手前に引き起こすと、その端面が下方に押し下げられて密封蓋部４ｂが巻き締め部４ｃから切り離されて、巻き締め部４ｃよりやや低い位置で開缶される。そしてプルタブ４ａ付きの密封蓋部４ｂを切り離した後、キャップ５を再度装着して、図７に示すような状態で室内や車内の適所に前記両面テープ等で固定使用すると、透気性シート３を介して芳香剤含浸体２に含浸された液体芳香剤の芳香成分が揮散し、室内や車内を芳香状態にすることができる。
【００２４】
以上説明したように、積層された吸液性素材２ａの積層面を縦方向に折り曲げて形成された芳香剤含浸体２は、吸液性素材２ａの幅イコール縦寸法となるので打ち抜き加工のように寸法制限がないので、その高さを容器１の高さに合わせることができ、それが容器１内に収容されたときに液体芳香剤を効率よく充填することができる。また、吸液性素材２ａの積層面が縦方向になっていることにより、液体芳香剤の芳香成分を上方に揮散させやすく揮散力を充分に発揮することができると共に、液体芳香剤を吸い上げる毛細管機能も発揮し易く液体芳香剤の含浸力もアップすることができるので、全体の揮散量を調整することによって芳香成分を適正に揮散することができる。尚、本実施形態では吸液性素材２ａが不織布であるので、折り曲げ後は容器１の形状に合わせて横方向に拡がって復元するので、上記作用を充分に発揮することができ汎用性も高くなる。
【００２５】
さらに、前記毛細管機能を縦方向に効率良く発揮することができるので、打ち抜き加工の従来例のように揮散ガスの通気路が形成されるように芳香剤含浸体２を形成する必要がないので、形成作業が非常に簡単になると共に、上部と下部に含浸力の差も生じないので、含浸状態の安定性が良く、下部に液溜まりが生じない。
【００２６】
また、芳香剤含浸体２の積層横断面２ｃは透気性シート３で覆われているので、容器開口部が見苦しくならず外観が良くなると共に、透気性シート３によって使い始めの揮散量を抑制することもできる。そしてこの透気性シート３が黒であれば、液体芳香剤中に含まれる不揮発成分の残留により芳香剤含浸体２が色焼けするのをカバーできると共に、香料を作る際も色を考慮しなくて良いので選択の幅が拡がるし、白であれば、蛍光物を暗所で有色発光させるブラックライトに反応するように蛍光増白剤を含浸させることによって、アピール度が高まり商品性を向上させることもできる。
【００２７】
本発明は上記の実施形態に示すほか、種々の態様に構成することができる。例えば、各部の形状は上記に示したものに限定されず、プルトップ蓋やアルミシール等の容器蓋を開封した際に、上記構成の芳香剤含浸体に含浸された液体芳香剤の芳香成分が透気性シートを介して揮散することによって、室内や車内を芳香状態にできるものであれば、その他種々のものに変更することができる。尚、液体芳香剤は、消臭成分を含有したものを採用するとより好適である。
【００２８】
【発明の効果】
本発明の芳香剤容器によれば、液体芳香剤を効率良く充填すると共にその揮散力や芳香剤含浸体への含浸力を充分に発揮し、揮散量を調整することによって芳香成分を適正に揮散でき、室内や車内を良好な芳香状態に保つことができると共に、透気性シートによって見栄えが良くなり、これによっても揮散量を調整することもできる。
【図面の簡単な説明】
【図１】本発明の実施形態を示す全体斜視図。
【図２】同実施形態の分解斜視図。
【図３】同実施形態に用いる芳香剤含浸体の斜視図。
【図４】同実施形態の製造工程を示し、容器内に芳香剤含浸体と透気性シートを収容する状態を示す縦断面図。
【図５】同実施形態の製造工程を示し、容器蓋を取付ける状態を示す縦断面図。
【図６】同実施形態の製造工程を示し、キャップが装着されて芳香剤容器として製品化した状態を示す縦断面図。
【図７】同実施形態の使用図であり、製品化した状態から容器蓋を取外した状態を示す縦断面図。
【図８】従来例の芳香剤容器を示す縦断面図。
【図９】従来例に用いる芳香剤含浸体を、打ち抜き加工により形成している状態を示す斜視図。
【符号の説明】
１  容器
２  芳香剤含浸体
２ｃ  積層横断面
３  透気性シート
４  容器蓋
５  キャップ
５ａ  通気孔
【図１】
0003847104.tif 000002
【図２】
0003847104.tif 000003
【図３】
0003847104.tif 000004
【図４】
0003847104.tif 000005
【図５】
0003847104.tif 000006
【図６】
0003847104.tif 000007
【図７】
0003847104.tif 000008
【図８】
0003847104.tif 000009
【図９】
0003847104.tif 000010